(57)【要約】【課題】  板状体の両側の照度差に関係なく常に板状体の一定の一方の側から他方の側を透視可能でかつ他方の側からの透視を遮ってプライバシー性を確実に守ることができる目隠し用板状体を提供する。【解決手段】  透明な板状本体２と、表面から光を発散する不透明な輝体３とを有し、前記板状本体２を通して一方の側から他方の側を見たときに必要な視認性が得られる程度の透明部を残して、前記輝体３で前記板状本体２を覆った。【選択図】        図１
2007016542.tif 000002
【特許請求の範囲】
【請求項１】
透明な板状本体と、
表面から光を発散する不透明な輝体とを有し、
前記板状本体を通して一方の側から他方の側を見たときに必要な視認性が得られる程度の透明部を残して、前記輝体で前記板状本体を覆ったことを特徴とする目隠し用板状体。
【請求項２】
前記輝体は、自ら発光する発光体からなることを特徴とする請求項１に記載の目隠し用板状体。
【請求項３】
前記輝体は、光反射体からなり、該光反射体を照射する光源を備えたことを特徴とする請求項１に記載の目隠し用板状体。
【請求項４】
前記輝体の裏面に暗い色彩を付したことを特徴とする請求項１に記載の目隠し用板状体。
【発明の詳細な説明】
【技術分野】
【０００１】
本発明は、住宅やビル等に取付けられる窓や室内の間仕切りに用いられる目隠し用板状体に関する。
【背景技術】
【０００２】
従来、部屋のプライバシー性を守るためにレース等の薄手布材を窓に取付けたり、紙状のシートにドット状のプリントあるいは貫通する透明孔を無数に施して窓に貼り付けたりしている。しかし、これらの方法では、部屋の照明をつけて部屋の中が明るくなると外側から視認することが可能となる。すなわち、部屋のプライバシー性を確保するには常に部屋の内側が部屋の外側より暗くなるように照度を調整する必要がある。このため、夜間など部屋の電気をつける際はカーテンやブラインド等の遮蔽物で窓を覆ってプライバシー性を守ることになり、部屋の内側から外側を視認することができない。
【０００３】
一方の側から透視でき他方の側からは透視が遮られる透明なシートを取付けたパネルが特許文献１に記載されている。このシートには、不透明なエレメントの上へ印刷によりシルエットパターンが形成される。このような特許文献１のパネルは、パネルの前面及び後面における照明の強さを異なるものとすることにより、シルエットパターンを一方の側から見えるようにするものである。しかし、このパネルは、シルエットパターンにより形成された情報や公告、あるいはデザイン等を見せる、いわゆるパネルの意匠性を高めるためのものである。この特許文献１に記載のパネルを例えば住宅やビル等に使用した場合、室外側が室内側より暗くなったとき（例えば夜間）に室外側から室内側が透視可能になってしまう。すなわち、特許文献１に記載のパネルは、当該パネルは、夜間のプライバシー性を全く考慮していないものである。
【０００４】
透明なガラス板と遮蔽板を組合わせて、窓の両側の明るさに差がないときでも一方の側からのみ透視させる窓用ガラス構造が特許文献２に記載されている。この窓用ガラス構造の遮蔽板は表面が明色、裏面が暗色で多数透孔を有するものである。したがって、明色側を室外側とすれば、外から室内が見えにくくなる。しかし、夜間室内が明るくなると外から室内が透視可能となる。
【０００５】
【特許文献１】特開平８−２５４６０５号公報
【特許文献２】実開昭６４−１２８９９号公報
【発明の開示】
【発明が解決しようとする課題】
【０００６】
本発明は、上記従来技術を考慮したものであり、板状体の両側の照度差に関係なく常に板状体の一定の一方の側から他方の側を透視可能でかつ他方の側からの透視を遮ってプライバシー性を守ることができる目隠し用板状体の提供を目的とする。
【課題を解決するための手段】
【０００７】
前記目的を達成するため、請求項１の発明では、透明な板状本体と、表面から光を発散する不透明な輝体とを有し、前記板状本体を通して一方の側から他方の側を見たときに必要な視認性が得られる程度の透明部を残して、前記輝体で前記板状本体を覆ったことを特徴とする目隠し用板状体を提供する。
【０００８】
請求項２の発明は、請求項１の発明において、前記輝体は、自ら発光する発光体からなることを特徴としている。
【０００９】
請求項３の発明は、請求項１の発明において、前記輝体は、光反射体からなり、該光反射体を照射する光源を備えたことを特徴としている。
【００１０】
請求項４の発明は、請求項１の発明において、前記輝体の裏面に暗い色彩を付したことを特徴としている。
【発明の効果】
【００１１】
請求項１の発明によれば、板状体を構成する透明な板状本体の表面が目的や用途に応じた必要な視認性が得られる程度の透明部を残して輝体により覆われ、この輝体の表面から常に一定の方向に光が発散（発光又は反射）されるため、光が発散する方向を外側としたとき、板状体を通して板状体の外側から内側は透視しにくくなり、逆に内側から外側は輝体の光に影響されず板状体の透明部を通して外部を視認できる。したがって、板状体の内側が外側より明るい場合であっても、輝体により外側から内側の透視が遮られ、板状体の内側のプライバシー性が確保される。
【００１２】
輝体による板状体の被覆率は、大きいほどプライバシー性は守られるが、内側から外側が見えにくくなる。逆に被覆率を小さくすると、内側から外側の視認性が高まるが外側からの視認性も大きくなるためプライバシー性が低下する。このとき、輝体から発散する光の強さを高めることにより、外側から内側の視認性を低下させてプライバシー性を高めることができる。したがって、輝体による板状体の被覆率は、使用する場所や用途（建物外壁の窓や、室内の間仕切りあるいは内側を見えにくくする必要性や外側を見るときの視認性等）及び輝体の明るさ等に応じて適宜定められる。プライバシー性を必要とする領域において、通常は被覆率５０％以上で内側から外側の必要な透視性が確保できる被覆率とする。５０％より小さいとプライバシー性が十分確保できない。
【００１３】
請求項２の発明によれば、板状体を覆う輝体が、自己発光する発光体で形成されるので、確実に板状体の一方の面から光が発散する。したがって、板状体の反対面側が見にくくなり、板状体を隔てたプライバシー性を守ることができる。
【００１４】
請求項３の発明によれば、光反射体からなる輝体が光源からの光を反射するため、板状体の一方の面から反射光が発散する。したがって、板状体の反対面側が見にくくなり、板状体を隔てたプライバシー性を守ることができる。
【００１５】
請求項４の発明によれば、輝体の裏面に黒等の暗い色彩が付されるため、輝体裏面からの反射光がほとんどなくなる。したがって、輝体の裏面側からの視認性が妨げられることなく、板状体の内側から外側を見るときの透視性が高まる。
【発明を実施するための最良の形態】
【００１６】
図１は本発明に係る目隠し用板状体の概略図であり、（Ａ）は正面図、（Ｂ）は断面図である。（Ｂ）の内側、外側については、内側は窓の室内側あるいは間仕切り等の内部のプライベート側で外部から見られたくない側を示し、外側は室外あるいは間仕切り等の外部を示す。
【００１７】
図示したように、本発明に係る目隠し用板状体１は、透明な板状本体２と不透明な輝体としてＥＬ（エレクトロ  ルミネッセンス）発光シート３で構成される（通電部、電源は図示省略）。板状本体２は、透明であればガラス板や樹脂板等を用いることができる。ＥＬ発光シート３は、片面側が発光面となるシートである。このＥＬ発光シート３は、極薄発光体にラミネート加工を施したシートで、発光面全面が均一に発光し視認性の高い光を発する。ＥＬ発光シート３の発光面側を板状本体２に貼り付けることにより、例えば（Ｂ）に示すように、板状本体２の外側に向けて光を発散することができる。ＥＬ発光シート３には、人が内側から外側を視認できる程度に透明孔４が形成される。この透明孔４により板状本体２の透明部が残されるため、目隠し用板状体１を隔てた視認性が妨げられることはない。透明孔は不透明な輝体に孔を開けても良いし、不透明な輝体に孔状に透明な部分を作製しても良い。
【００１８】
板状本体２の表面をＥＬ発光シート３（透明孔４以外の部分）で覆う被覆率は、前述のように目隠し用板状体１の使用場所や目隠しの程度に応じて適宜定められるが、十分なプライバシー性を保つためには、必要とする領域において被覆率は５０％以上であることが好ましい。なお、図では円形のドット状に複数の透明孔４がパターン化された例を示すが、四角やその他の形状又はスリット状の透明孔４を形成してもよい。
【００１９】
ＥＬ発光シート３を発光させることにより、外側からはその光により透明孔４を通した内側が見にくくなる。したがって、目隠し用板状体１の内側からの視認性を確保しつつ、外側からの透視を遮って内側のプライバシー性を守ることができる。このとき、ＥＬ発光シート３の裏面を暗い色（例えば黒色）の色彩で形成することにより、内側からの光の反射が少ないので、内側から外側がさらに視認しやすくなる。したがって、外側と内側が同程度の明るさあるいは内側の方が明るいときでも内側からの視認性を確保しつつ外側からの透視を遮って内側のプライバシー性を守ることができる。なお、図では１枚の板状本体２にＥＬ発光シート３を貼り付けた例を示したが、ＥＬ発光シート３は、複数枚の板状本体２の間（例えば合わせガラスの中間膜や複層ガラスの空気層等の位置）に挟んで使用することもできる。
【００２０】
図に示す目隠し用板状体１を部屋の窓に用いる場合、次のような利点がある。ＥＬ発光シート３の発光面を外側に向けた状態で目隠し用板状体１を窓部に取付ける。発光していないときのＥＬ発光シートの表面の色は明るい色が好ましい。昼間は外側が内側より明るいため、光がＥＬ発光シート３に反射して外側から内側を視認することができない。夜間になると部屋の内側は照明をつけるために明るくなるが、ＥＬ発光シート３を外側に向けて発光させることにより、その光による遮蔽効果のため外側から内側を視認することができない。逆に、内側からはＥＬ発光シート３の透明孔４を通して外側を透視できる。この場合、ＥＬ発光シート３の裏面を暗色にすれば部屋の内側の光がシート３に反射せず、内側から外側の視認性を高めることができる。したがって、夜間部屋の照明をつけても内側のプライバシー性を守りつつ内側から外側を視認しやすくできる。
【００２１】
図２は本発明に係る別の目隠し用板状体の概略図であり、（Ａ）は正面図、（Ｂ）は断面図である。
図示したように、目隠し用板状体１は、２枚の透明な板状本体２，２の間に不透明な輝体としてＬＥＤ（発光ダイオード）５を並べて配設して構成される。ＬＥＤ５は一方の面方向に向かって光が放出し、他方の面には光が放出されないようにして用いる。多数のＬＥＤ５が、板状本体２を介した反対側を視認できる程度の間隔を隔てて透明導電膜６に配置される。このとき、前述の実施例と同様に少なくとも板状本体２の５０％以上を覆う被覆率でＬＥＤ５を配置することが好ましい。ＬＥＤ５を組付けた透明導電膜６は、ＬＥＤ５の発光面を外側に向けて中間膜７とともに板状本体２，２間に挟持される。これにより、ＬＥＤ５が発光する方向の側（外側）からはＬＥＤの裏面側（内側）を視認することが困難となる。したがって、内側からの視認性を確保しつつ外側からの透視を遮って内側のプライバシー性を守ることができる。その他の作用、効果は図１の例と同様である。
【００２２】
図３はＬＥＤを取付けるときの例を示す概略図である。
（Ａ）に示すように、透明導電膜６をパターニングしてジグザグ状に切断線８を形成し、＋側導電膜６ａと−側導電膜６ｂを形成する。この切断線８を跨ぐようにＬＥＤ５を配置する。このように配置すれば、＋側の導電膜６ａと−側の導電膜６ｂにＬＥＤ５は接続されているため、所定直流電圧を印加すればＬＥＤ５は発光する。
【００２３】
（Ｂ）に示すように、銀ペースト等の導電性物質による電極パターン９ａ、９ｂを板状本体２に形成してもよい。各ＬＥＤ５を＋側の電極パターン９ａと−側の電極パターン９ｂに接するように配置することにより、ＬＥＤ５が発光する。なお、電極パターン９ａ、９ｂは透明なシート等に形成して板状本体２に貼り付けてもよい。
【００２４】
図４は本発明に係るさらに別の目隠し用板状体を示す概略図であり、（Ａ）は光反射体の正面図、（Ｂ）は断面図である。
図示したように、目隠し用板状体１は、２枚の透明な板状本体２，２と不透明な輝体として反射フィルム１０、及び光源ユニット１１で構成される。板状本体２，２は周辺部にスペーサ１２を介して複層ガラス化され、空気層１３を形成する。反射フィルム１０は、一方の板状本体２の空気層１３側に反射面を空気層側に向けて接着される。反射フィルム１０は人が視認できる程度の開口率で透明孔４を有しており、反射フィルム１０を板状本体２に貼り付けたときの被覆率は図１のＥＬ発光シート３と同様である。反射フィルム１０の空気層１３側（図の外側）は白色等の明るい色で形成される。あるいは反射率の大きい金属鏡面で形成してもよい。空気層１３の上方及び下方には、光源ユニット１１が配設される（電源、配線は図示省略）。光源ユニット１１は光源１４と反射板１５で構成される。この光源ユニット１１は板状本体２の左右端部に縦方向に配設されてもよい。このような構成とすることにより、光源１４からの光が直接又は反射板１５を介して反射フィルム１０に照射される。照射された光は反射フィルム１０により反射されて反射光が外側に向けて発散する。これにより、外側から目隠し用板状体１を通して内側を視認しにくくなる。その他の作用、効果は図１の例と同様である。
【００２５】
光源１４として、紫外光源１４を用いてもよい。この場合、反射フィルム１０の反射面に蛍光塗料を塗布する。この蛍光塗料は、紫外光が照射されるとこれに反応して発光するものである。この蛍光塗料の発光により、外側を照らすことができる。このような構成とすれば、反射フィルム１０自体が発光するため、外側からの視認がさらに困難となり、内側のプライバシー性をさらに守ることができる。
【産業上の利用可能性】
【００２６】
本発明は、部屋の窓や仕切り部材として透明板状体を使用する場合に適用できる。
【図面の簡単な説明】
【００２７】
【図１】本発明に係る目隠し用板状体の概略図であり、（Ａ）は正面図、（Ｂ）は断面図。
【図２】本発明に係る別の目隠し用板状体の概略図であり、（Ａ）は正面図、（Ｂ）は断面図。
【図３】ＬＥＤを取付けるときの例を示す概略図。
【図４】本発明に係るさらに別の目隠し用板状体を示す概略図であり、（Ａ）は正面図、（Ｂ）は断面図。
【符号の説明】
【００２８】
１：目隠し用板状体、２：板状本体、３：ＥＬ発光シート、４：透明孔、５：ＬＥＤ、６：透明導電膜、７：中間膜、８：切断線、９ａ，９ｂ：電極パターン、１０：反射フィルム、１１：光源ユニット、１２：スペーサ、１３：空気層、１４：光源、１５：反射板。
【図１】
2007016542.tif 000003
【図２】
2007016542.tif 000004
【図３】
2007016542.tif 000005
【図４】
2007016542.tif 000006